(57)【要約】      （修正有）【課題】一つの主ケーブルを同時に３つの電気コネクタに接続可能な電気コネクタケーブルを提供する。【解決手段】第１電気コネクタ１１と、主ケーブル１２と、第２電気コネクタ１３と、接続具１４と、第３電気コネクタ１５とを備える。接続具によって、第３電気コネクタを両端に第１電気コネクタと第２電気コネクタを備える主ケーブルに接続し、第３電気コネクタ上に第２電気コネクタの挿入に備える第２電気コネクタスロットを設けることによって、一つの主ケーブルが３つの電気コネクタを同時に接続して、本電気コネクタケーブル１を交互に３つの電子装置の間で使用しデータ転送を実行できる。【選択図】図３
0003175702.tif 000002
【実用新案登録請求の範囲】
【請求項１】
電気コネクタケーブルであって、
第１電子装置２との接続に備える、第１電気コネクタ１１と、
一端は前記第１電気コネクタ１１に接続する、主ケーブル１２と、
前記主ケーブル１２の他端に接続していて、かつ第２電子装置５の前記電気コネクタスロットに接続する、第２電気コネクタ１３と、
前記主ケーブル１２上に形成する、接続具と、
前記接続具に接続していて、かつ第３電子装置３の電気コネクタスロットに接続され、前記第２電気コネクタスロット１５１を有する第３電気コネクタ１５と、を備え、
前記第１電気コネクタ１１を前記第１電子装置２の電気コネクタスロットに接続し、前記第２電気コネクタ１３を前記第２電子装置５の電気コネクタスロットに接続することによって、前記第１電子装置２と、前記第２電子装置５との間でデータ転送でき、
前記第１電気コネクタ１１を前記第１電子装置２の電気コネクタスロットに接続し、前記第３電気コネクタ１５を前記第３電子装置５の電気コネクタスロットに接続し、前記第２電気コネクタ１３を前記第３電気コネクタ１５に備える第２電気コネクタスロット１５１に接続することによって、前記第１電子装置２と、前記第３電子装置３との間でデータ転送できる、
電気コネクタケーブル。
【請求項２】
前記第１電気コネクタ１１は、ＵＳＢ電気コネクタ、ｍｉｎｉ  ＵＳＢ電気コネクタ、ｍｉｃｒｏ  ＵＳＢ電気コネクタ、ＨＤＭ電気コネクタ、Ｍｉｎｉ  ＨＤＭＩ電気コネクタ、Ｍｉｃｒｏ  ＨＤＭＩ電気コネクタ、Ｄｉｓｐｌａｙ  Ｐｏｒｔ電気コネクタまたはＭｉｎｉ  Ｄｉｓｐｌａｙ  Ｐｏｒｔ電気コネクタのいずれかであることを特徴とする、請求項１記載の電気コネクタケーブル。
【請求項３】
前記第２電気コネクタ１３は、ＵＳＢ電気コネクタ、ｍｉｎｉ  ＵＳＢ電気コネクタ、ｍｉｃｒｏ  ＵＳＢ電気コネクタ、Ｍｉｃｒｏ  ＨＤＭＩ電気コネクタ、Ｄｉｓｐｌａｙ  Ｐｏｒｔ電気コネクタまたはＭｉｎｉ  Ｄｉｓｐｌａｙ  Ｐｏｒｔ電気コネクタのいずれかであることを特徴とする、請求項１記載の電気コネクタケーブル。
【請求項４】
前記第３電気コネクタ１５は、ＵＳＢ電気コネクタ、ｍｉｎｉ  ＵＳＢ電気コネクタ、ｍｉｃｒｏ  ＵＳＢ電気コネクタ、Ｍｉｃｒｏ  ＨＤＭＩ電気コネクタ、Ｄｉｓｐｌａｙ  Ｐｏｒｔ電気コネクタまたはＭｉｎｉ  Ｄｉｓｐｌａｙ  Ｐｏｒｔ電気コネクタのいずれかであることを特徴とする、請求項１記載の電気コネクタケーブル。
【請求項５】
前記接続具１４は、主ケーブル１２に嵌着していて、前記主ケーブル１２上にて摺動自在の、ケーブル結合部１４１と、前記第３電気コネクタ１５の外面に結合され、外形は帯状を形成する、コネクタ結合部１４２と、を有することを特徴とする、請求項１記載の電気コネクタケーブル。
【請求項６】
前記電子装置はコンピュータまたはノートパソコンのいずれかであることを特徴とする、請求項１記載の電気コネクタケーブル。
【請求項７】
前記第２電子装置は携帯電話または多機能携帯電話、またはタブレットコンピュータのいずれかであることを特徴とする、請求項１記載の電気コネクタケーブル。
【請求項８】
前記第３電子装置はポータブルハードディスクまたはデジタルカメラのいずれかであることを特徴とする、請求項１記載の電気コネクタケーブル。
【考案の詳細な説明】
【技術分野】
【０００１】
本考案は電気コネクタケーブルに関し、特に一つの主ケーブルを同時に３つの電気コネクタに接続可能な電気コネクタケーブルに関する。
【背景技術】
【０００２】
まず、図１公知技術のＵＳＢ電気コネクタケーブルの使用態様図を参照する。図１に示すとおり、公知技術のＵＳＢ電気コネクタケーブル１’は主ケーブル１１’と、第１ＵＳＢ電気コネクタ１２’と、第２ＵＳＢ電気コネクタ１３’と、を備える。そのうち、第１ＵＳＢ電気コネクタ１２’は、ノートパソコン２’に接続され、第２ＵＳＢ電気コネクタ１３’はポータブルハードディスク３’に接続されている。これにより、ＵＳＢ電気コネクタケーブル１’を介して、使用者はノートパソコン２’に格納されたデータをポータブルハードディスク３’に転送するか、またはポータブルハードディスク３’に格納されたデータをノートパソコン２’に転送することができる。
【考案の概要】
【考案が解決しようとする課題】
【０００３】
前述ＵＳＢ電気コネクタケーブル１’は、通常２つの電子装置の電気接続に使用しており、２つの電子装置がＵＳＢ電気コネクタケーブルを介して、相互にデータ転送できる。しかし、現在の多機能携帯電話に搭載されている電気コネクタはやりｍｉｎｉ  ＵＳＢ電気コネクタまたはｍｉｃｒｏ  ＵＳＢ電気コネクタである。よって、ＵＳＢ電気コネクタケーブル１’は多機能携帯電話とノートパソコン２’間のデータ転送に使用することはできない。
【０００４】
このため、ＵＳＢ電気コネクタケーブルメーカーより、一種の組合せ式ＵＳＢ電気コネクタケーブルを開発されている。図２、組合せ式のＵＳＢ電気コネクタケーブルの使用態様図を参照する。図２に示すとおり、組合せ式ＵＳＢ電気コネクタケーブル４’は、主ケーブル４１’と、第１ＵＳＢ電気コネクタ４２’と、第２ＵＳＢ電気コネクタ４３’と、分岐ケーブル４４’と、ｍｉｃｒｏ  ＵＳＢ電気コネクタ４５’と、を有する。
そのうち、ｍｉｃｒｏ  ＵＳＢ電気コネクタ４５’は分岐ケーブル４４’と、主ケーブル４１’を介して、第１ＵＳＢ電気コネクタ４２’と電気接続して、データ転送できる。これにより、使用者は組合せ式ＵＳＢ電気コネクタケーブル４’を使用し、ノートパソコン２’と、ポータブルハードディスク３’と、多機能携帯電話５’との間でデータ転送できる。
【０００５】
前述とおり、組合せ式ＵＳＢ電気コネクタケーブル４’によって、前述公知技術のＵＳＢ電気コネクタケーブル１’の欠点および不足が改善されている。そのため、組合せ式ＵＳＢ電気コネクタケーブル４’が次第にＵＳＢ電気コネクタケーブル１’を取り代わって、徐々に一般的に使用されるＵＳＢ電気コネクタケーブルとなっている。
しかし、組合せ式ＵＳＢ電気コネクタケーブル４’には生産工程が複雑の欠点が残されている。その原因は、以下のとおりである。組合せ式ＵＳＢ電気コネクタケーブル４’を製造するときは第２ＵＳＢ電気コネクタ４３’のピン接点は主ケーブル４１’を介して、第１ＵＳＢ電気コネクタ４２’に電気接続した上、ｍｉｃｒｏ  ＵＳＢ電気コネクタ４５’のピン接点が分岐ケーブル４４’を介して、第１ＵＳＢ電気コネクタ４２’に電気接続して置かなければならない。しかし、ｍｉｃｒｏ  ＵＳＢ電気コネクタ４５’のピン接点数と、（第１、第２）ＵＳＢ電気コネクタ（４２’、４３’）のピン接点数が異なっているため、ピン接点の電気接続の生産工程が複雑である。
【０００６】
前述とおり、ＵＳＢ電気コネクタケーブルと組合せ式ＵＳＢ電気コネクタケーブルとも不足点が残されている。
【課題を解決するための手段】
【０００７】
このため、考案者が鋭意に研究創作した結果、一種の電気コネクタケーブルを考案し、本考案の電気コネクタケーブルを公知技術の電気コネクタケーブル及び組合せ式ＵＳＢ電気コネクタケーブルに取って代わることを期待している。
【０００８】
本考案の主な目的は、電気コネクタケーブルを提供する。接続具によって、第３電気コネクタを両端に第１電気コネクタと第２電気コネクタを設けられた主ケーブルに接続し、第３電気コネクタ上は第２電気コネクタの挿入に備える第２電気コネクタスロットを設けられ、本考案の電気コネクタケーブルを交互に３つの電子装置に使用し、データ転送できる。
【０００９】
本考案の主な目的を達成するため、考案者より一種の電気コネクタケーブルを提供する。
【００１０】
第１電子装置の電気コネクタスロットに接続する第１電気コネクタと、
【００１１】
一端は前記第１電気コネクタに接続する主ケーブルと、
【００１２】
前記主ケーブルの他端に接続していて、かつ第２電子装置の前記電気コネクタスロットに接続する第２電気コネクタと、
【００１３】
前記主ケーブル上に形成する接続具と、
【００１４】
前記接続具に接続していて、かつ第３電子装置の前記電気コネクタスロットに接続され、前記第２電気コネクタスロットを有する第３電気コネクタと、を備える。
【００１５】
そのうち、前記第１電気コネクタを前記第１電子装置の電気コネクタスロットに接続し、前記第２電気コネクタを前記第２電子装置の電気コネクタスロットに接続することによって、前記第１電子装置と、前記第２電子装置との間でデータ転送できる。
【００１６】
そのうち、前記第１電気コネクタを前記第１電子装置の電気コネクタスロットに接続し、前記第３電気コネクタを前記第３電子装置の電気コネクタスロットに接続することによって、前記第１電子装置と、前記第３電子装置との間でデータ転送できる。
【図面の簡単な説明】
【００１７】
【図１】公知技術のＵＳＢ電気コネクタケーブルの使用態様図である。
【図２】公知技術の組合せ式ＵＳＢ電気コネクタケーブルの使用態様図である。
【図３】本考案で提案する一種の電気コネクタケーブルの使用態様図である。
【図４Ａ】本考案の電気コネクタケーブルの各種応用態様図である。
【図４Ｂ】本考案の電気コネクタケーブルの各種応用態様図である。
【図４Ｃ】本考案の電気コネクタケーブルの各種応用態様図である。
【図４Ｄ】本考案の電気コネクタケーブルの各種応用態様図である。
【考案を実施するための形態】
【００１８】
本考案の電気コネクタケーブルをより詳しく説明するため、図面と合わせて本考案の好ましい実施例を以下のとおり、詳細説明する。
【実施例】
【００１９】
図３の本考案で提案する電気コネクタケーブルの使用態様図を参照する。図３に示すとおり、本考案の電気コネクタケーブル１は、第１電気コネクタ１１と、主ケーブル１２と、第２電気コネクタ１３と、接続具１４と、第３電気コネクタ１５と、を備える。図に示すとおり、第１電気コネクタ１１は第１電子装置２の電気コネクタスロットとの接続に備える。本考案において、第１電気コネクタ１１は例えば、ＵＳＢ電気コネクタ、ｍｉｎｉ  ＵＳＢ電気コネクタ、ｍｉｃｒｏ  ＵＳＢ電気コネクタ、Ｍｉｃｒｏ  ＨＤＭＩ電気コネクタ、Ｄｉｓｐｌａｙ  Ｐｏｒｔ電気コネクタまたはＭｉｎｉ  Ｄｉｓｐｌａｙ  Ｐｏｒｔ電気コネクタのいずれかであり、図３に示す第１電気コネクタ１１はＵＳＢ電気コネクタである。第１電子装置２はノートパソコン２である。当然ながら、第１電子装置２は例えば、コンピュータであっても良い。
【００２０】
引き続き、図３を参照する。主ケーブル１２の一端は第１電気コネクタ１１に接続され、主ケーブル１２の他端は第２電気コネクタ１３に接続されている。本考案において、第２電気コネクタ１３は同じく、ＵＳＢ電気コネクタ、ｍｉｎｉ  ＵＳＢ電気コネクタ、ｍｉｃｒｏ  ＵＳＢ電気コネクタ、Ｍｉｃｒｏ  ＨＤＭＩ電気コネクタ、Ｄｉｓｐｌａｙ  Ｐｏｒｔ電気コネクタまたはＭｉｎｉ  Ｄｉｓｐｌａｙ  Ｐｏｒｔ電気コネクタのいずれかであり、図３に示す第２電気コネクタ１３はｍｉｃｒｏ  ＵＳＢ電気コネクタである。第２電気コネクタ１３は第２電子装置５の電気コネクタスロット（ｍｉｃｒｏ  ＵＳＢ電気コネクタスロット）との接続に備える。そのうち、第２電子装置５は多機能携帯電話５である。当然ながら、第２電子装置５は例えば、携帯電話またはタブレットコンピュータであっても良い。
【００２１】
第３電気コネクタ１５は接続具１４を介して、主ケーブル１２に接続されている。そのうち、接続具１４はケーブル結合部１４１と、電気コネクタ結合部１４２からなる。図３に示すとおり、接続具１４のケーブル結合部１４１を主ケーブル１２に嵌着することによって、接続具１４は主ケーブル１２上にて摺動することができる。接続具１４の電気コネクタ結合部１４２は第３電気コネクタ１５の外面に結合していて、かつ外形は帯状を形成する。
【００２２】
第１電気コネクタ１１と、第２電気コネクタ１２と、第３電気コネクタ１５はＵＳＢ電気コネクタ、ｍｉｎｉ  ＵＳＢ電気コネクタ、ｍｉｃｒｏ  ＵＳＢ電気コネクタ、Ｍｉｃｒｏ  ＨＤＭＩ電気コネクタ、Ｄｉｓｐｌａｙ  Ｐｏｒｔ電気コネクタまたはＭｉｎｉ  Ｄｉｓｐｌａｙ  Ｐｏｒｔ電気コネクタに限らず、図３に示す第３電気コネクタ１５はＵＳＢ電気コネクタである。本考案において、第３電気コネクタ１５は第３電子装置３の電気コネクタスロットに接続され、図３に示すとおり、第３電子装置３は例えばポータブルハードディスク５である。当然として、第３電子装置３はポータブルハードディスク５に限らず、携帯ディスク、デジタルカメラなど、ＵＳＢ電気コネクタスロットを備える電子装置であっても良い。
【００２３】
特に注意すべきことは、本考案において、第３電気コネクタ１５は第２電気コネクタ１３の挿入に備える第２電気コネクタスロット１５１を設けられている。これにより、第２電気コネクタ１３を第３電気コネクタ１５の第２電気コネクタスロット１５１に挿入した後、本考案の電気コネクタケーブル１は、ＵＳＢ電気コネクタスロットを備える第１電子装置２（すなわち、ノートパソコン２）と、ＵＳＢ電気コネクタスロットを備える第３電子装置３（すなわち、ポータブルハードディスク３）に接続した後、さらに電気コネクタケーブル１を介して、ノートパソコン２とポータブルハードディスク３との間のデータ転送を実行することができる。
【００２４】
このほか、使用者が多機能携帯電話５とノートパソコン２との間でデータを転送したいときは、第２電気コネクタ１３を第３電気コネクタ１５の第２電気コネクタスロット１５１より取り外して、第２電気コネクタ１３と第１電気コネクタ１１をそれぞれ多機能携帯電話５のｍｉｃｒｏ  ＵＳＢ電気コネクタスロットと、ノートパソコン２のＵＳＢ電気コネクタスロットに挿入することにより、本考案の電気コネクタケーブル１を多機能携帯電話５とノートパソコン２との間でデータ転送できる。
【００２５】
本考案の電気コネクタケーブルは以上の説明より、すべて、かつ詳細にわたり開示されており、さらに、本考案が以下の長所を有すること容易に理解できる。
【００２６】
イ、本考案は接続具１４によって、第３電気コネクタ１５（ＵＳＢ電気コネクタ）を両端に第１電気コネクタ１１（ＵＳＢ電気コネクタ）と、第２電気コネクタ１３（ｍｉｃｒｏ  ＵＳＢ電気コネクタ）を備える主ケーブル１２に接続することができる。これにより、分岐ケーブルを使用することなく、一つの主ケーブル１２のみを同時に３つの電気コネクタに接続することができる。
【００２７】
ロ、前記イ、に引き続き、公知技術の組合せ式ＵＳＢ電気コネクタケーブルと違って、本考案を適用すれば、ｍｉｃｒｏ  ＵＳＢ電気コネクタ１３のピン接点が主ケーブル１２を介して、第１ＵＳＢ電気コネクタ１１のピン接点に接することができ、第３ＵＳＢ電気コネクタ１５のピン接点が分岐ケーブルを介して、主ケーブル１２と合わせて第１ＵＳＢ電気コネクタ１１のピン接点に接続する必要はない。よって、本考案の電気コネクタケーブルは製作簡単の長所を有する。
【００２８】
ハ、前記イ、に引き続き、特に注意すべきことは、本考案は第３電気コネクタ１５と、第２電気コネクタスロット１５１を設けられている。よって、使用者が第３電気コネクタ１５と第１電気コネクタ１１を使用して、第３電子装置３と第１電子装置２との間でデータを転送したいとき、使用者は第２電気コネクタ１３を第３電気コネクタ１５の第２電気コネクタスロット１５１に挿入すれば、本考案の電気コネクタケーブル１をＵＳＢ電気コネクタスロットの第１電子装置２（すなわち、ノートパソコン２）と、ＵＳＢ電気コネクタスロットを第３電子装置３（すなわち、ポータブルハードディスク３）に接続し電気コネクタケーブル１を介して、ノートパソコン２とポータブルハードディスク３との間でデータ転送できる。
【００２９】
引き続き、図４Ａないし４Ｄ、本考案の電気コネクタケーブルの各種応用態様図を参照する。図４Ａないし４Ｄに示すとおり、ＵＳＢ電気コネクタと、ｍｉｎｉ  ＵＳＢ電気コネクタと、ｍｉｃｒｏ  ＵＳＢ電気コネクタとを交互に第１電気コネクタ１１と、第２電気コネクタ１３と、第３電気コネクタ１５に利用することによって、本考案の電気コネクタケーブルの応用面をさらに広げられる。
【００３０】
ここで、仮に第１電気コネクタ１１をＵＳＢ電気コネクタに設定した場合、図４Ａに示すとおり、第２電気コネクタ１３はｍｉｃｒｏ  ＵＳＢ電気コネクタであり、かつ第３電気コネクタ１５はｍｉｎｉ  ＵＳＢ電気コネクタである。これにより、本考案の電気コネクタケーブル１はＵＳＢ電気コネクタスロットを備える第１電子装置２と、ｍｉｃｒｏ  ＵＳＢ電気コネクタスロットを備える第２電子装置５及び、ｍｉｎｉ  ＵＳＢ電気コネクタを備える第３電子装置３に使用し、第１電子装置２と、第２電子装置５と、第３電子装置３との間でデータ転送できる。
【００３１】
同じく、仮に第１電気コネクタ１１をＵＳＢ電気コネクタに設定した場合、図４Ｂに示すとおり、第２電気コネクタ１３はｍｉｎｉ  ＵＳＢ電気コネクタであり、かつ第３電気コネクタ１５はｍｉｃｒｏ  ＵＳＢコネクタである。これにより、本考案の電気コネクタケーブル１はＵＳＢ電気コネクタスロットを備える第１電子装置２と、ｍｉｎｉ  ＵＳＢ電気コネクタスロットを備える第２電子装置５及び、ｍｉｃｒｏ  ＵＳＢ電気コネクタを備える第３電子装置３に使用し、第１電子装置２と、第２電子装置５と、第３電子装置３との間でデータ転送できる。
【００３２】
さらに同じく、仮に第１電気コネクタ１１をＵＳＢ電気コネクタに設定した場合、図４Ｃに示すとおり、第２電気コネクタ１３はｍｉｎｉ  ＵＳＢ電気コネクタであり、かつ第３電気コネクタ１５はＵＳＢコネクタである。これにより、本考案の電気コネクタケーブル１はＵＳＢ電気コネクタスロットを備える第１電子装置２と、ｍｉｎｉ  ＵＳＢ電気コネクタスロットを備える第２電子装置５及びＵＳＢ電気コネクタを備える第３電子装置３に使用し、第１電子装置２と、第２電子装置５と、第３電子装置３との間でデータ転送できる。
【００３３】
最後に同じく、仮に第１電気コネクタ１１をＵＳＢ電気コネクタに設定した場合、図４Ｄに示すとおり、第２電気コネクタ１３はＵＳＢ電気コネクタであり、かつ第３電気コネクタ１５はｍｉｎｉ  ＵＳＢコネクタである。これにより、本考案の電気コネクタケーブル１はＵＳＢ電気コネクタスロットを備える第１電子装置２と、ｍｉｎｉ  ＵＳＢ電気コネクタスロットを備える第２電子装置５及び、ｍｉｎｉ  ＵＳＢ電気コネクタを備える第３電子装置３に使用し、第１電子装置２と、第２電子装置５と、第３電子装置３との間でデータ転送できる。
【符号の説明】
【００３４】
１：電気コネクタケーブル
１１：第１電気コネクタ
１２：主ケーブル
１３：第２電気コネクタ
１４：接続具
１５：第３電気コネクタ
２：第１電子装置
３：ポータブルハードディスク
１４１：ケーブル結合部
５：第２電子装置
１４２：電気コネクタ結合部
１’：ＵＳＢ電気コネクタケーブル
１１’：主ケーブル
１２’：第１ＵＳＢ電気コネクタ
１３’：第２ＵＳＢ電気コネクタ
２’：ノートパソコン
３’：ポータブルハードディスク
４’：組合せ式ＵＳＢ電気コネクタケーブル
４１’：主ケーブル
４２’：第１ＵＳＢ電気コネクタ
４３’：第２ＵＳＢ電気コネクタ
４４’：分岐ケーブル
４５’：ｍｉｎｉ  ＵＳＢ電気コネクタ
５’：多機能携帯電話
【図１】
0003175702.tif 000003
【図２】
0003175702.tif 000004
【図３】
0003175702.tif 000005
【図４Ａ】
0003175702.tif 000006
【図４Ｂ】
0003175702.tif 000007
【図４Ｃ】
0003175702.tif 000008
【図４Ｄ】
0003175702.tif 000009